【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
無線通信に用いる第１ノードにおける方法であって、
第１ビット・ブロックを特定することと、
チャネル符号化を実行することと、
第１無線信号を送信することと、
を含み、
ここで、前記第１ビット・ブロックにおけるビットは、第２ビット・ブロックにおけるビットを生成するために用いられ、前記第１ビット・ブロックにおけるビットと前記第２ビット・ブロックにおけるビットとは、いずれも前記チャネル符号化の入力に用いられ、前記チャネル符号化の出力は、前記第１無線信号を生成するために用いられ、前記チャネル符号化は、ポーラーコードに基づくものであり、前記チャネル符号化について、目標第１種類のビットによって占有されるサブチャネルは、前記第２ビット・ブロックにおける前記目標第１種類のビットに関連するビットの数及びＫ個の第１種類のビットセットにおけるビットの数の少なくとも一つに関連し、前記目標第１種類のビットは、前記第１ビット・ブロックに属し、前記Ｋ個の第１種類のビットセットとＫ個の第２種類のビットとは一対一で対応し、前記Ｋ個の第２種類のビットは、前記第２ビット・ブロックにおける前記目標第１種類のビットに関連する全てのビットであり、前記Ｋ個の第２種類のビットにおける任意の一つに対して、所定の第２種類のビットが与えられ、前記第１ビット・ブロックにおいて、前記所定の第２種類のビットを生成するために用いる全てのビットは、前記Ｋ個の第１種類のビットセットにおける前記所定の第２種類のビットに対応する第１種類のビットセットを構成し、前記Ｋは正の整数である
方法。
【請求項２】
前記第２ビット・ブロックにおける前記目標第１種類のビットに関連するビットの数が多いほど、前記目標第１種類のビットによって占有されるサブチャネルに対応するチャネル容量は低い、
請求項１に記載の方法。
【請求項３】
前記Ｋ個の第１種類のビットセットにおけるビットの数の和が小さいほど、前記目標第１種類のビットによって占有されるサブチャネルに対応するチャネル容量は低い、
請求項１に記載の方法。
【請求項４】
前記Ｋ個の第１種類のビットセットにおけるビットの数の逆数の和が大きいほど、前記目標第１種類のビットによって占有されるサブチャネルに対応するチャネル容量は低い、
請求項１に記載の方法。
【請求項５】
前記第１ビット・ブロックは、第１ビット・サブブロックと第２ビット・サブブロックを含み、前記第１ビット・サブブロックのＣＲＣビット・ブロックは、前記第２ビット・サブブロックを生成するために用いられる、あるいは、
第１ビットセットにおける任意の一つのビットによってマッピングされるサブチャネルのチャネル容量は、第２ビットセットにおける任意の一つのビットによってマッピングされるサブチャネルのチャネル容量よりも大きく、前記第１ビット・ブロックにおけるビットは前記第１ビットセットに属し、前記第２ビット・ブロックにおけるビットは前記第２ビットセットに属する、あるいは、
第１ビットセットにおける任意の一つのビットによってマッピングされるサブチャネルのチャネル容量は、第２ビットセットにおける任意の一つのビットによってマッピングされるサブチャネルのチャネル容量よりも大きく、一部の前記第１ビット・ブロックにおけるビットは前記第１ビットセットに属し、他の一部の前記第１ビット・ブロックにおけるビットと前記第２ビット・ブロックにおけるビットは前記第２ビットセットに属する、あるいは、
前記第１ビット・ブロックのＣＲＣビット・ブロックは、前記第２ビット・ブロックを生成するために用いられる、あるいは、
前記第１ノードは基地局であり、前記第１ビット・ブロックは下り制御情報を含む、あるいは、前記第１ノードはＵＥであり、前記第１ビット・ブロックは上り制御情報を含む、
請求項１に記載の方法。
【請求項６】
無線通信に用いる第２ノードにおける方法であって、
第１無線信号を受信することと、
チャネル復号化を実行することと、
第１ビット・ブロックを復元することと、
を含み、
ここで、前記チャネル復号化に対応するチャネル符号化はポーラーコードに基づくものであり、前記第１ビット・ブロックにおけるビットは、第２ビット・ブロックにおけるビットを生成するために用いられ、前記第１ビット・ブロックにおけるビットと前記第２ビット・ブロックにおけるビットとは、いずれも前記チャネル符号化の入力に用いられ、前記チャネル符号化の出力は、前記第１無線信号を生成するために用いられ、前記チャネル符号化について、目標第１種類のビットによって占有されるサブチャネルは、前記第２ビット・ブロックにおける前記目標第１種類のビットに関連するビットの数とＫ個の第１種類のビットセットにおけるビットの数の少なくとも一つに関連し、前記目標第１種類のビットは前記第１ビット・ブロックに属し、前記Ｋ個の第１種類のビットセットとＫ個の第２種類のビットとは一対一で対応し、前記Ｋ個の第２種類のビットは、前記第２ビット・ブロックにおける前記目標第１種類のビットに関連する全てのビットであり、前記Ｋ個の第２種類のビットにおける任意の一つに対して、所定の第２種類のビットが与えられ、前記第１ビット・ブロックにおいて、前記所定の第２種類のビットを生成するために用いられる全てのビットは、前記Ｋ個の第１種類のビットセットにおける前記所定の第２種類のビットに対応する第１種類のビットセットを構成し、前記Ｋは正の整数である
方法。
【請求項７】
前記第２ビット・ブロックにおける前記目標第１種類のビットに関連するビットの数が多いほど、前記目標第１種類のビットによって占有されるサブチャネルに対応するチャネル容量は低い、
請求項６に記載の方法。
【請求項８】
前記Ｋ個の第１種類のビットセットにおけるビットの数の和が小さいほど、前記目標第１種類のビットによって占有されるサブチャネルに対応するチャネル容量は低い、
請求項６に記載の方法。
【請求項９】
前記Ｋ個の第１種類のビットセットにおけるビットの数の逆数の和が大きいほど、前記目標第１種類のビットによって占有されるサブチャネルに対応するチャネル容量は低い、
請求項６に記載の方法。
【請求項１０】
前記第１ビット・ブロックは第１ビット・サブブロックと第２ビット・サブブロックを含み、前記第１ビット・サブブロックのＣＲＣビット・ブロックは、前記第２ビット・サブブロックを生成するために用いられる、あるいは、
前記第１ビット・ブロックは第１ビット・サブブロックと第２ビット・サブブロックを含み、前記第１ビット・サブブロックのＣＲＣビット・ブロックは、前記第２ビット・サブブロックを生成するために用いられ、前記チャネル復号化は、Ｐ個の参照値を特定するために用いられ、前記Ｐ個の参照値と目標ビット・グループにおけるビットとは一対一で対応し、前記目標ビット・グループは、前記第１ビット・ブロックにおけるビットと前記第２ビット・ブロックにおけるビットからなり、前記第１ビット・ブロックにおけるビットの数と前記第２ビット・ブロックにおけるビットの数の和が前記Ｐであり、前記Ｐ個の参照値のうち、前記第２ビット・ブロックにおけるビットに対応する参照値は、前記チャネル復号化において枝刈りに用いられ、前記Ｐ個の参照値のうち、前記第２ビット・サブブロックにおけるビットに対応する参照値は、前記第１ビット・ブロックが正確に受信されたかを特定するために用いられ、前記Ｐは１を超える正の整数である、あるいは、
第１ビットセットにおける任意の一つのビットによってマッピングされるサブチャネルのチャネル容量は、第２ビットセットにおける任意の一つのビットによってマッピングされるサブチャネルのチャネル容量よりも大きく、前記第１ビット・ブロックにおけるビットは前記第１ビットセットに属し、前記第２ビット・ブロックにおけるビットは前記第２ビットセットに属するか、あるいは、
第１ビットセットにおける任意の一つのビットによってマッピングされるサブチャネルのチャネル容量は、第２ビットセットにおける任意の一つのビットによってマッピングされるサブチャネルのチャネル容量よりも大きく、一部の前記第１ビット・ブロックにおけるビットは前記第１ビットセットに属し、他の一部の前記第１ビット・ブロックにおけるビットと前記第２ビット・ブロックにおけるビットは前記第２ビットセットに属する、あるいは、
前記第１ビット・ブロックのＣＲＣビット・ブロックは、前記第２ビット・ブロックを生成するために用いられる、あるいは、
前記第２ノードはＵＥであり、前記第１ビット・ブロックは下り制御情報を含む、
あるいは、前記第２ノードは基地局であり、前記第１ビット・ブロックは上り制御情報を含む、
請求項６に記載の方法。
【請求項１１】
無線通信に用いる第１ノードにおける装置であって、
第１ビット・ブロックを生成する第１プロセッサと、
チャネル符号化を実行する第２プロセッサと、
第１無線信号を送信する第１トランスミッタと、
を備え、
ここで、前記第１ビット・ブロックにおけるビットは、第２ビット・ブロックにおけるビットを生成するために用いられ、前記第１ビット・ブロックにおけるビットと前記第２ビット・ブロックにおけるビットとは、いずれも前記チャネル符号化の入力に用いられ、前記チャネル符号化の出力は、前記第１無線信号を生成するために用いられ、前記チャネル符号化はポーラーコードに基づくものであり、前記チャネル符号化について、目標第１種類のビットによって占有されるサブチャネルは、前記第２ビット・ブロックにおける前記目標第１種類のビットに関連するビットの数とＫ個の第１種類のビットセットにおけるビットの数の少なくとも一つに関連し、前記目標第１種類のビットは前記第１ビット・ブロックに属し、前記Ｋ個の第１種類のビットセットとＫ個の第２種類のビットとは一対一で対応し、前記Ｋ個の第２種類のビットは、前記第２ビット・ブロックにおける前記目標第１種類のビットに関連する全てのビットであり、前記Ｋ個の第２種類のビットにおける任意の一つに対して、所定の第２種類のビットが与えられ、前記第１ビット・ブロックのうち、前記所定の第２種類のビットを生成するために用いられる全てのビットは、前記Ｋ個の第１種類のビットセットにおける前記所定の第２種類のビットに対応する第１種類のビットセットを構成し、前記Ｋは正の整数である
第１ノードにおける装置。
【請求項１２】
前記第２ビット・ブロックにおける前記目標第１種類のビットに関連するビットの数が多いほど、前記目標第１種類のビットによって占有されるサブチャネルに対応するチャネル容量は低い、
請求項１１に記載の第１ノードにおける装置。
【請求項１３】
前記Ｋ個の第１種類のビットセットにおけるビットの数の和が小さいほど、前記目標第１種類のビットによって占有されるサブチャネルに対応するチャネル容量は低い、
請求項１１に記載の第１ノードにおける装置。
【請求項１４】
前記Ｋ個の第１種類のビットセットにおけるビットの数の逆数の和が大きいほど、前記目標第１種類のビットによって占有されるサブチャネルに対応するチャネル容量は低い
請求項１１に記載の第１ノードにおける装置。
【請求項１５】
前記第１ビット・ブロックは第１ビット・サブブロックと第２ビット・サブブロックを含み、前記第１ビット・サブブロックのＣＲＣビット・ブロックは、前記第２ビット・サブブロックを生成するために用いられる、あるいは、
第１ビットセットにおける任意の一つのビットによってマッピングされるサブチャネルのチャネル容量は、第２ビットセットにおける任意の一つのビットによってマッピングされるサブチャネルのチャネル容量よりも大きく、前記第１ビット・ブロックにおけるビットは前記第１ビットセットに属し、前記第２ビット・ブロックにおけるビットは前記第２ビットセットに属する、あるいは、
第１ビットセットにおける任意の一つのビットによってマッピングされるサブチャネルのチャネル容量は、第２ビットセットにおける任意の一つのビットによってマッピングされるサブチャネルのチャネル容量よりも大きく、一部の前記第１ビット・ブロックにおけるビットは前記第１ビットセットに属し、他の一部の前記第１ビット・ブロックにおけるビットと前記第２ビット・ブロックにおけるビットは前記第２ビットセットに属する、あるいは、
前記第１ビット・ブロックのＣＲＣビット・ブロックは、前記第２ビット・ブロックを生成するために用いられる、あるいは、
前記第１ノードにおける装置は基地局装置であり、前記第１ビット・ブロックは下り制御情報を含む、あるいは、
前記第１ノードにおける装置はユーザー装置であり、前記第１ビット・ブロックは上り制御情報を含む
請求項１１に記載の第１ノードにおける装置。
【請求項１６】
無線通信に用いる第２ノードにおける装置であって、
第１無線信号を受信する第１レシーバーと、
チャネル復号化を実行する第３プロセッサと、
第１ビット・ブロックを復元する第４プロセッサと、
を含み、
ここで、前記チャネル復号化に対応するチャネル符号化はポーラーコードに基づくものであり、前記第１ビット・ブロックにおけるビットは、第２ビット・ブロックにおけるビットを生成するために用いられ、前記第１ビット・ブロックにおけるビットと前記第２ビット・ブロックにおけるビットとは、いずれも前記チャネル符号化の入力に用いられ、前記チャネル符号化の出力は、前記第１無線信号を生成するために用いられ、前記チャネル符号化について、目標第１種類のビットによって占有されるサブチャネルは、前記第２ビット・ブロックにおける前記目標第１種類のビットに関連するビットの数とＫ個の第１種類のビットセットにおけるビットの数の少なくとも一つに関連し、前記目標第１種類のビットは前記第１ビット・ブロックに属し、前記Ｋ個の第１種類のビットセットとＫ個の第２種類のビットとは一対一で対応し、前記Ｋ個の第２種類のビットは前記第２ビット・ブロックにおける前記目標第１種類のビットに関連する全てのビットであり、前記Ｋ個の第２種類のビットにおける任意の一つに対して、所定の第２種類のビットが与えられ、前記第１ビット・ブロックのうち、前記所定の第２種類のビットを生成するために用いられる全てのビットは、前記Ｋ個の第１種類のビットセットにおける前記所定の第２種類のビットに対応する第１種類のビットセットを構成し、前記Ｋは正の整数である
第２ノードにおける装置。
【請求項１７】
前記第２ビット・ブロックにおける前記目標第１種類のビットに関連するビットの数が大きいほど、前記目標第１種類のビットによって占有されるサブチャネルに対応するチャネル容量は低い、
請求項１６に記載の第２ノードにおける装置。
【請求項１８】
前記Ｋ個の第１種類のビットセットにおけるビットの数の和が小さいほど、前記目標第１種類のビットによって占有されるサブチャネルに対応するチャネル容量は低い、
請求項１６に記載の第２ノードにおける装置。
【請求項１９】
前記Ｋ個の第１種類のビットセットにおけるビットの数の逆数の和が大きいほど、前記目標第１種類のビットによって占有されるサブチャネルに対応するチャネル容量は低い、
請求項１６に記載の第２ノードにおける装置。
【請求項２０】
前記第１ビット・ブロックは第１ビット・サブブロックと第２ビット・サブブロックを含み、前記第１ビット・サブブロックのＣＲＣビット・ブロックは、前記第２ビット・サブブロックを生成するために用いられる、あるいは、
前記第１ビット・ブロックは第１ビット・サブブロックと第２ビット・サブブロックを含み、前記第１ビット・サブブロックのＣＲＣビット・ブロックは、前記第２ビット・サブブロックを生成するために用いられ、前記チャネル復号化は、Ｐ個の参照値を特定するために用いられ、前記Ｐ個の参照値と目標ビット・グループにおけるビットとは一対一で対応し、前記目標ビット・グループは、前記第１ビット・ブロックにおけるビットと前記第２ビット・ブロックにおけるビットからなり、前記第１ビット・ブロックにおけるビットの数と前記第２ビット・ブロックにおけるビットの数との和が前記Ｐであり、前記Ｐ個の参照値のうち、前記第２ビット・ブロックにおけるビットに対応する参照値は、前記チャネル復号化において枝刈りに用いられ、前記Ｐ個の参照値のうち、前記第２ビット・サブブロックにおけるビットに対応する参照値は、前記第１ビット・ブロックが正確に受信されたかを特定するために用いられ、前記Ｐは１を超える正の整数である、あるいは、
第１ビットセットにおける任意の一つのビットによってマッピングされるサブチャネルのチャネル容量は、第２ビットセットにおける任意の一つのビットによってマッピングされるサブチャネルのチャネル容量よりも大きく、前記第１ビット・ブロックにおけるビットは前記第１ビットセットに属し、前記第２ビット・ブロックにおけるビットは前記第２ビットセットに属する、あるいは、
第１ビットセットにおける任意の一つのビットによってマッピングされるサブチャネルのチャネル容量は、第２ビットセットにおける任意の一つのビットによってマッピングされるサブチャネルのチャネル容量よりも大きく、一部の前記第１ビット・ブロックにおけるビットは前記第１ビットセットに属し、他の一部の前記第１ビット・ブロックにおけるビットと前記第２ビット・ブロックにおけるビットは前記第２ビットセットに属する、あるいは、
前記第１ビット・ブロックのＣＲＣビット・ブロックは、前記第２ビット・ブロックを生成するために用いられる、あるいは、
前記第２ノードにおける装置はユーザー装置であり、前記第１ビット・ブロックは下り制御情報を含む、あるいは、前記第２ノードにおける装置は基地局装置であり、前記第１ビット・ブロックは上り制御情報を含む
請求項１６に記載の第２ノードにおける装置。